(57)【要約】【課題】安価にかつ安全にしてホースを巻き取るホースリールの駆動装置を得る。【解決手段】ホースリール（１）を支持する支持台（１０）を設け、該支持台（１０）に両端部が前記ホースリール（１）の左右のフランジ部（２ｂ）に当接可能な駆動軸（２３）を設け、該駆動軸（２３）に水道水の水力によって回転されるポンプ（２５）を連結し、該ポンプ（２５）の流入路（２８）に分岐路（３７）を設けるとともに該分岐路（３７）に水圧によって体積が増大する蓄圧装置（３５）を接続し、ポンプ（２５）を介して駆動軸（２３）が回転される際に前記蓄圧装置（３５）の体積を増大させて前記駆動軸（２３）の両端部を前記ホースリール（１）のフランジ部（２ｂ）に圧接させ、ホースリールをホースの巻取り方向に回転させる。【選択図】      図１
2005082359.tif 000002
【特許請求の範囲】
【請求項１】
ホースリール（１）を支持する支持台（１０）を設け、該支持台（１０）に両端部が前記ホースリール（１）の左右のフランジ部（２ｂ）に当接可能な駆動軸（２３）を設け、該駆動軸（２３）に水道水の水力によって回転されるポンプ（２５）を連結し、該ポンプ（２５）の流入路（２８）に分岐路（３７）を設けるとともに該分岐路（３７）に水圧によって体積が増大する蓄圧装置（３５）を接続し、該蓄圧装置（３５）の体積増大時の圧力によって前記駆動軸（２３）の両端部を前記ホースリール（１）のフランジ部（２ｂ）に圧接させてなることを特徴とするホースリールの駆動装置。
【請求項２】
水道水の水力によって回転されるポンプ（２５）の流出口（２９）に多数の小孔（４５ａ）を有する洗浄ノズル（４５）を接続し、該洗浄ノズル（４５）を支持台（１０）に取り付けるとともにその小孔（４５ａ）をホースリール（１）の胴部（２ａ）側に仕向けたことを特徴とする請求項１記載のホースリールの駆動装置。
【請求項３】
水道水をホースリール（１）とポンプ（２５）とに交互に切り換えて供給する切換弁（４０）を支持台（１０）に設けたことを特徴とする請求項１又は２記載のホースリールの駆動装置。
【発明の詳細な説明】
【技術分野】
【０００１】
本発明は、園芸植物、菜園植物等に散水するホースリールに関し、特に散水後にホースリールを巻取り方向に回転させる駆動装置に関するものである。
【背景技術】
【０００２】
リール本体を回転自在に支持するスタンドに水道水の水力によって回転されるポンプを取付け、該ポンプの軸に一方向クラッチを介してリール本体のフランジ部と摩擦係合する回転体を連結し、ホースを巻き取る際には、上記ポンプに水道水を供給して該ポンプを回転させ、上記回転体を介してリール本体をホースの巻取り方向に回転させ、ホースをリール本体から繰り出す際にはポンプへの水道水の供給を止めて該ポンプをフリーにし、回転体のみがリール本体のフランジ部によって回転されるようにしたものがあった。
【特許文献１】特開２００１−３２８７６９
【発明の開示】
【発明が解決しようとする課題】
【０００３】
上記従来のものは、ポンプの回転軸と回転体との間に一方向クラッチを設けるようにしていたので、小物の機械部品が増えると共に、水の浸入等によって一方向クラッチの機能が低下すると、ホースをリール本体から繰り出す際にポンプが回転されて重くなるものであった。また、ポンプがリール本体を回転自在に支持するスタンドに取り付けられていたので、互換性が乏しくなるものであった。本発明は、ホースリールを支持する支持台を設け、この支持台にホースリールのリール本体を回転させる駆動部を一括して設けることにより、上記不具合を解消した新規なホースリールの駆動装置を得ることを目的とする。
【課題を解決するための手段】
【０００４】
本発明は、上記目的を達成するために以下の如く構成したものである。即ち、請求項１に係る発明は、ホースリールを支持する支持台に、両端部が前記ホースリールの左右のフランジ部に当接可能な駆動軸を設け、該駆動軸に水道水の水力によって回転されるポンプを連結し、該ポンプの流入路に分岐路を設けるとともに該分岐路に水圧によって体積が増大する蓄圧装置を接続し、該蓄圧装置の体積増大時の圧力によって前記駆動軸の両端部を前記ホースリールのフランジ部に圧接させる構成にしたものである。
請求項２に係る発明は、水道水の水力によって回転されるポンプの流出口に多数の小孔を有する洗浄ノズルを接続し、該洗浄ノズルを支持台に取り付けるとともにその小孔を支持台に載置されるホースリールの胴部側に仕向けるようにしたものである。
請求項３に係る発明は、水道水をホースリールとポンプとに交互に切り換えて供給する切換弁を前記支持台に設けるようにしたものである。
【発明の効果】
【０００５】
請求項１に係る発明は、ポンプに水道水を供給すると、ポンプが水道水の水流によって回転し、駆動軸を設定された方向に回転させ、同時にポンプに供給される水の一部が分岐路を介して蓄圧装置に供給されて該蓄圧装置の体積が増大し、上記駆動軸をホースリールのフランジ部に圧接することになる。これにより、上記駆動軸の回転がホースリールに伝達されて該ホースリールが設定された方向、つまりホースの巻取り方向に回転され、ホースが人手を要することなくホースリールに巻き取られることになる。また、上記ポンプへの水の供給を停止すると、該ポンプの回転が停止し、同時に上記蓄圧装置への水の供給が停止され、該蓄圧装置内の水がポンプ側に逃げて内部の圧力が低下し、上記駆動軸のホースリールフランジ部への圧接が解除され、ホースをホースリールから繰り出す際に駆動軸がホースリールによって回転されなくなり、該ホースを小労力でホースリールから繰り出すことができる。また、ホースリールを支持する支持台にホースリールのフランジ部に対応する駆動軸、及び該駆動軸をフランジ部方向に押圧移動させる蓄圧装置を設けたので、構造が簡素になるとともに、ホースリールを支持台に載置するのみで該ホースリールを駆動することができ、ホースリールの交換が容易になるとともに、形式の異なるホースリールであってもこれを容易に駆動することができる。
【０００６】
請求項２に係る発明は、上記ポンプが回転されると、その流出口から排出された水が洗浄ノズルを経てホースリールの胴部側に向かって排出され、該巻き取られるホースを洗浄することになる。
【０００７】
請求項３に係る発明は、支持台に設けた切換弁を操作することによって、水道水をホースリールとポンプとに交互に切り換えて供給することになり、水道水の切換操作が迅速に行えるとともに、ホースへの水供給操作とポンプへの水供給操作とが重複したり、間違えたりしなくなる。
【発明を実施するための最良の形態】
【０００８】
以下本発明の実施の形態を図面に基いて説明する。図面において、図１は本発明の第１実施例を示す一部断面正面図、図２は図１の一部断面側面図、図３は図１の要部拡大正面図、図４は図３のIV-IV拡大断面図、図５は本発明による蓄圧装置の他の例を示す断面正面図、図６は本発明による洗浄ノズルの他の例を示す一部断面側面図、図７はポンプ部の拡大断面正面図である。
【０００９】
図１及び図２において、１はホースリール、１０は該ホースリール１を支持する支持台である。上記ホースリール１は主として家庭用に市販されているものであり、胴部２ａの左右両端に大径のフランジ部２ｂ，２ｂを一体に有するリール本体２をスタンド３で回転自在に支持し、胴部２ａの左側（一側）に供給ホース４を接続し、胴部２ａに長さ２０ｍ〜３０ｍの散水ホース５を接続すると共にこれを胴部２ａに巻き付け、該散水ホース５の先端に散水用のシャワーノズル６を取付けてなる。
【００１０】
支持台１０は木製、あるいはプラスチックにより形成され、上面に浅い容器状の水受け１３が載置された支持板１１を４本の脚１２により約３００ｍｍ〜４００ｍｍの高さで略水平に支持する。上記水受け１３はホースリール１のスタンド３の下部が嵌合する平面積を有し、前部の左右中心部に排水口１３ａを有する。上記支持板１１の直下方に受台１４を所定の間隙、本例では下方に約３０ｍｍ〜４０ｍｍの間隙を保持して取付け、該受台１４により後述する駆動装置２０、及び蓄圧装置３５を支持する。また、支持台１０の図１において前後方向中間部の図１において左側部に支柱１５を起立固定し、該支柱１５に後述する切換え弁４０及び洗浄ノズル４５を取り付ける。
【００１１】
上記駆動装置２０は以下の如くなっている。即ち、図１において左右方向に延びるベース２１の左右両端部に一対のブラケット２２ａ，２２ｂを起立固定し、該ブラケット２２ａ，２２ｂの上端部に直径約６ｍｍ〜８ｍｍ、長さ約３００ｍｍとなる駆動軸２３をベアリングを介して回転自在に支持する。該駆動軸２３は、図１に示すように、水受け１３の上方に位置させ、その左右両端部にホースリール１の左右のフランジ部２ｂ，２ｂの外周面と摩擦係合する摩擦材２４，２４を固定する。この摩擦材２４，２４はフランジ部２ｂ，２ｂの外周面と摩擦係合し易いゴム、あるいは駆動軸２３の外周又は該駆動軸２３に嵌合固定する筒体の外周に刻設したローレットとする。本例による摩擦材２４，２４は駆動軸２３の外周にタイミングベルト片を螺旋状に巻回して形成してなる。
【００１２】
上記左部のブラケット２２ａの左面側にポンプ２５のケース２６を固定する。ポンプ２５はケース２６内に水車形の回転羽根２７を収容し、該回転羽根２７を前述した駆動軸２３の左端部に直結し、該ケース２６の下部側に水道水を導入する流入口（流入路）２８を、上部側に流出口（流出路）２９を形成する。これにより、ベース２１、駆動軸２３、及びポンプ２５をユニットとする駆動ユニット２０−１を構成する。なお、上記回転羽根２７は減速比１／２〜１／３の減速機（減速ギヤ）を介して駆動軸２３に連結するようにしてもよい。
【００１３】
上記回転羽根２７は、図１、図７に示すように、直径約１５０ｍｍの円板２７ｂの外周に縦横約８ｍｍ角の羽根２７ａを２４枚〜３６枚等ピッチで放射状に取り付け、左右両側及び内周を閉塞（図１）してなる。また、上記流入口２８は回転羽根２７に対して接線方向に向け、外端側の内径を約１３〜１５ｍｍとし、基部側は内方に向かってテーパー状に絞るとともにその内端の径を約３ｍｍ〜４ｍｍにして回転羽根２７の羽根に勢いよく当たるようにする。また、上記流出口２９は、上記流入口２８に対し約１００度の交差角度でもって回転羽根２７に対して接線方向に向ける。該流出口２９の外端側の内径は１５ｍｍ〜１８ｍｍとし、基部側は円周方向に細長くして回転羽根２７からの排水が円滑に行われるようにする。該基部側の円周方向の長さは、本例では、図７に示すように流入口２８に対し円周方向の角度αが約５５度となる後進位置から反流入口２８方向に向かう円周方向の角度βが約７５度となる長さにしている。
【００１４】
前述した受台１４と駆動ユニット２０−１のベース２１との間に蓄圧装置３５を介装する。該蓄圧装置３５は、図３に示すように、長さ約２００ｍｍ〜３００ｍｍに寸断した張力を有する軟質製の蓄圧ホース３６を設け、該蓄圧ホース３６の左端部を閉塞し、右端部にパイプ継手を介して導入ホース（分岐路）３７を接続し、該導入ホース３７から水を圧送して上記蓄圧ホース３６を膨らませて駆動ユニット２０−１を上方に押し上げるようになっている。上記蓄圧ホース３６は、本例では直径約２５ｍｍの灌水用ホースを寸断して形成される。３８は駆動ユニット２０−１の上昇量を設定する規制具であり、図３、図４に示すように、Ｕ型ボルト３８ａをベース２１の左右両端部の上側から嵌合させるとともに、その下部を受台１４に貫通させ、該貫通した下端部にナット３８ａを螺合させ、該ナット３８ａのねじ込み量を調節することによって上記駆動ユニット２０−１の上昇量を設定する。
【００１５】
上記駆動ユニット２０−１の駆動軸２３は、図１に示すように、蓄圧ホース３６が平坦になっている際には、その左右の摩擦材２４，２４がホースリール１のフランジ部２ｂ，２ｂの外周面から下方に離間する位置に設定されおり、この状態で上記蓄圧ホース３６が水圧によって膨らんだ際には、図３に示すように、上記駆動軸２３がベース２１、ブラケット２２ａ，２２ｂを介して上昇され、その摩擦材２４，２４が上記フランジ部２ｂ，２ｂの外周面に当接し、該フランジ部２ｂ，２ｂと摩擦係合するようになっている。この場合、上記ホースリール１は、図２に示すように、スタンド３の後部脚３ａのみをＵ型ボルト７によって支持台１０側に回動可能に係止し、上記駆動軸２３が上昇してその摩擦材２４，２４が上記フランジ部２ｂ，２ｂを上方に押圧した際には、前部脚３ｂが浮き上がり、ホースリール１が上記後部脚３ａを中心として上方に回動できるようにする。
【００１６】
これにより、駆動軸２３が上昇した際にはその摩擦材２４，２４が上記フランジ部２ｂ，２ｂとホースリール１の自重による圧力で摩擦係合するようにしている。なお、ホースリール１の自重による摩擦係合力が不足する際には、上記浮き上がる側の前部脚３ｂをバネ等で下方に引っ張るようにしてもよい。また、上記ホースリール１はその前部脚３ｂをＵ型ボルト７によって支持台１０側に回動可能に係止し、該前部脚３ｂを中心として上方に回動できるようにしてもよい。
【００１７】
支持台１０に起立固定する支柱１５は、図２に示すように、支持台１０前後方向中間部の側部（図１において左側部）に起立固定し、その高さはホースリール１の把手３ｃと略同じ高さにし、該支柱１５に切換え弁４０及び洗浄ノズル４５を取り付ける。上記切換弁４０は、三方弁からなり、導入口４１、第１流出口４２、第２流出口４３を有し、レバー４４を操作することによって上記導入口４１が第１流出口４２と第２流出口４３とに交互に連通されるようになっている。上記導入口４１に水道管側の一次供給ホース４６を、上記第１流出口４２にホースリール１側の供給ホース４を、上記第２流出口４３にポンプ２５側の流入ホース（流入路）４７をそれぞれ接続する。上記流入ホース４７の先端はポンプ２５の流入口２８に接続し、該流入ホース４７の途中に分岐管４８を介して蓄圧装置３５側の導入ホース３７を接続する。
【００１８】
上記洗浄ノズル４５は、その内径をポンプ２５の流出口２９の内径よりも大径となる約２２ｍｍ、長さが約２００ｍｍとなるパイプに多数の小孔４５ａを長手方向に所定ピッチで直線状に配列形成してなり、これをリール本体２の直上方にて左右方向に延出させるとともに、各小孔４５ａをリール本体２の胴部２ａ方向に向け、図１に示すように、その左端部を支柱１５の上端部にブラケット１６を介して固定する。上記洗浄ノズル４５の左端にポンプ２５の流出口２９に接続された流出ホース４９の上端を接続し、ポンプ２５から排出される水を流出ホース４９を介して上記洗浄ノズル４５に供給し、この供給された水を各小孔４５ａからリール本体２に巻かれる散水ホース５に向けて流出させ、該散水ホース５を洗浄するようになっている。
【００１９】
本例では、図１、図２に示すように、上記洗浄ノズル４５をリール本体２の前部側の上方に配置し、この洗浄ノズル４５に散水ホース５のシャワーノズル６が係止できるようにする。これにより散水ホース５の巻取り後にシャワーノズル６のヘッド６ａが支持台１０の前部側に配置したバケツ５０に向くようにする。なお、上記洗浄ノズル４５は、図６に示すように、リール本体２の後部側の上方に配置するようにしてもよい。
【００２０】
前述した蓄圧装置３５は、図５に示すシリンダ型にしてもよい。図５において、３５−１は蓄圧装置であり、大径の上部キャップ３５ａと小径の下部キャップ３５ｂとを互いに向き合わせて上下摺動可能に嵌合させ、下部キャップ３５ｂ内に半球状にしたゴム製の蓄圧容器３５ｃを倒立させて密接に嵌合させ、該下部キャップ３５ｂにその底部側からパイプ継手を介して導入ホース３７を接続し、下部キャップ３５ｂを受台に係止し、上部キャップ３５ａを駆動ユニット２０−１のベース２１下面に当接させる。これにより、導入ホース３７から下部キャップ３５ｂに水を圧送すると、蓄圧容器３５ｃが膨張して上部キャップ３５ａを押上げ、該上部キャップ３５ａによりベース２１を介して駆動ユニット２０−１、従って駆動軸２３を上昇させ、その摩擦材２４をリール本体２のフランジ部２ｂに圧接させる。その他の構造は前述した実施例と同様になっている。
【００２１】
本発明は上記構成にしたので、切換弁４０のレバー４４を例えば下方（図１の実線の態）に回動させると、一次供給ホース４６側の導入口４１が第２流出口４３（ポンプ２５側）側に連通し、水道水が第２流出口４３を介して流入ホース４７に供給される。これにより、ポンプ２５の流入口（吐出ノズル）２８から高速の水が回転羽根２７に向かって吐出され、該回転羽根２７、従って駆動軸２３が図２において右回転されることになる。同時に分岐管４８を介して上記流入ホース４７内の水の一部が導入ホース３７を介して蓄圧ホース３６に供給され、図３に示すように、該蓄圧ホース３６が膨張し、ベース２１を介して駆動ユニット２０−１を上方に押し上げることになる。
【００２２】
これにより、駆動軸２３が上昇してその両端部に設けた摩擦材２４がリール本体２のフランジ部２ｂ，２ｂの外周面に当接してこの部に摩擦係合し、駆動軸２３を介して上記リール本体２を図２において左回転させ、散水ホース５を巻き取ることになる。同時にポンプ２５の流出口２９から流出する水が流出ホース４９を介して洗浄ノズル４５に供給され、該水が洗浄ノズル４５の小孔４５ａから上記巻き取られる散水ホース５に向かって流出し、これを洗浄することになる。この洗浄した水は下方の水受け１３内に流下し、その排出口１３ａから支持台１０の前部に設置したバケツ５０内に向けて排出（回収）される。実験によれば、上記ポンプ２５の流入口２８の内径を約３ｍｍにして散水ホース５を約１０ｍ巻き取った際に、上記バケツ５０に流入する水の量は４．５〜５リットルであった。これは市販のバケツの水の収容量が約７〜８リットルであり、溜め水にして手洗い等、別途活用できるものである。
【００２３】
また、上記切換弁４０のレバー４４を図２の実線で示すように前方に回動させると、第２流出口４３（ポンプ２５側）が遮断されるとともに、第１流出口４２が開口され、水道水が供給ホース４を介してホースリール１側の散水ホース５に供給されることになる。これにより散水ホース５をリール本体２から繰り出し、植物等に散水することができる。この場合、上記散水ホース５をリール本体２から繰り出す際には、蓄圧ホース３６内の水がポンプ２５側に逃げて内部の圧力が低下するとともに、駆動ユニット２０−１の自重で平坦状に変形され、該駆動ユニット２０−１が降下してその駆動軸２３がリール本体２のフランジ部２ｂから下方に退避しており、上記散水ホース５を小労力でホースリール１から繰り出すことができる。
【図面の簡単な説明】
【００２４】
【図１】本発明の第１実施例を示す一部断面正面図である。
【図２】図１の一部断面側面図である。
【図３】図１の要部拡大正面図である。
【図４】図３のIV-IV拡大断面図である。
【図５】本発明による蓄圧装置の他の例を示す断面正面図である。
【図６】本発明による洗浄ノズルの他の例を示す一部断面側面図である。
【図７】ポンプ部の拡大断面正面図である。
【符号の説明】
【００２５】
１    ホースリール
２    リール本体
２ａ  胴部
２ｂ  フランジ部
３    スタンド
３ａ  後部脚
３ｂ  前部脚
３ｃ  把手
４    供給ホース
５    散水ホース
６    シャワーノズル
６ａ  ヘッド
１０    支持台
１１    支持板
１２    脚
１３    水受け
１３ａ  排出口
１４    受台
１５    支柱
１６    ブラケット
２０    駆動装置
２０−１    駆動ユニット
２１    ベース
２２ａ，２２ｂ    ブラケット
２３    駆動軸
２４    摩擦材
２５    ポンプ
２６    ケース
２７    回転羽根
２７ａ  羽根
２７ｂ  円板
２８    流入口（流入路）
２９    流出口
３５（３５−１）    蓄圧装置
３５ａ  上部キャップ
３５ｂ  下部キャップ
３５ｃ  蓄圧容器
３６    蓄圧ホース
３７    導入ホース（分岐路）
３８    規制具
３８ａ  Ｕ形ボルト
３８ｂ  ナット
４０    切換弁
４１    導入口
４２    第１流出口
４３    第２流出口
４４    レバー
４５    洗浄ノズル
４５ａ  小孔
４６    一次供給ホース
４７    流入ホース
４８    分岐管
４９    流出ホース
５０    バケツ
【図１】
2005082359.tif 000003
【図２】
2005082359.tif 000004
【図３】
2005082359.tif 000005
【図４】
2005082359.tif 000006
【図５】
2005082359.tif 000007
【図６】
2005082359.tif 000008
【図７】
2005082359.tif 000009